(57)【要約】【課題】同乗者に合わせた周辺情報を提供する。【解決手段】自動車両に搭載される周辺情報表示装置であって、自動車両の現在の位置を取得する現在位置取得部と、自動車両の目的地の入力を受け付ける目的地受付部と、地図を予め格納する地図格納部と、現在位置取得部により取得された現在の位置、および、目的地受付部により取得された目的地に基づいて算出される、現在の地点から目的地までの経路の少なくとも一部の地図を地図格納部から読み出して表示する地図表示部と、自動車両に同乗している同乗者を識別する同乗者識別部と、同乗者識別部により識別される同乗者の情報に基づいて、一部の地図の周辺情報を取得して地図に重ねて表示する周辺情報表示部とを備える。【選択図】図１
2008032569.tif 000002
【特許請求の範囲】
【請求項１】
自動車両に搭載される周辺情報表示装置であって、
前記自動車両の現在の位置を取得する現在位置取得部と、
前記自動車両の目的地の入力を受け付ける目的地受付部と、
地図を予め格納する地図格納部と、
前記現在位置取得部により取得された前記現在の位置、および、前記目的地受付部により取得された前記目的地に基づいて算出される、現在の地点から前記目的地までの経路の少なくとも一部の地図を前記地図格納部から読み出して表示する地図表示部と、
前記自動車両に同乗している同乗者を識別する同乗者識別部と、
前記同乗者識別部により識別される前記同乗者の情報に基づいて、前記一部の地図の周辺情報を取得して前記地図に重ねて表示する周辺情報表示部と
を備える周辺情報表示装置。
【請求項２】
前記周辺情報は属性に対応付けられており、
前記同乗者を識別する同乗者識別情報に対応付けて、前記同乗者の属性を格納する属性格納部をさらに備え、
前記同乗者識別部は、前記同乗者を識別する前記同乗者識別情報を前記周辺情報表示部に受け渡し、
前記周辺情報表示部は、前記同乗者識別部から受け渡された前記同乗者識別情報に対応付けて前記属性格納部に格納されている前記属性を読み出し、前記属性に対応付けられている前記周辺情報を前記地図に重ねて表示する請求項１に記載の周辺情報表示装置。
【請求項３】
前記周辺情報は属性に対応付けられており、
前記同乗者を識別する同乗者識別情報に対応付けて、過去に前記同乗者が同乗していたときに選択された周辺情報に対応付けられた属性を格納する履歴格納部をさらに備え、
前記同乗者識別部は、前記同乗者を識別する前記同乗者識別情報を前記周辺情報表示部に受け渡し、
前記周辺情報表示部は、前記同乗者識別部から受け渡された前記同乗者識別情報に対応付けて前記履歴格納部に格納されている前記属性を読み出し、前記属性に対応付けられている前記周辺情報を前記地図に重ねて表示する請求項１に記載の周辺情報表示装置。
【請求項４】
音声を検知する音声検知部をさらに備え、
前記同乗者識別部は、前記音声検知部により検知された音声により前記同乗者を識別する請求項１に記載の周辺情報表示装置。
【請求項５】
過去の所定の時間における当該自動車両の平均速度を算出する速度算出部と、
前記速度算出部により算出された前記平均速度および前記現在位置取得部により取得された前記現在の位置に基づいて、所定の時間の経過後に前記自動車両が位置する予定の予定エリアを算出する予定エリア算出部と
を更に備え、
前記周辺情報表示部は、前記予定エリアに含まれる前記周辺情報のみを前記地図に重ねて表示する請求項１に記載の周辺情報表示装置。
【請求項６】
前記予定エリア算出部は、前記平均速度に所定の定数を乗じて下限速度および上限速度を算出し、前記上限速度で前記所定の時間に到達可能な最大到達エリアから前記下限速度で前記所定の時間に到達可能な最小到達エリアを除いたエリアを前記予定エリアとする請求項５に記載の周辺情報表示装置。
【請求項７】
同乗者用シートに配されたシートポジション検知部をさらに備え、
前記同乗者識別部は、前記シートポジション検知部により検知されたシートポジションにより前記同乗者を識別する請求項１に記載の周辺情報表示装置。
【請求項８】
同乗者用シートに配された体重検知部をさらに備え、
前記同乗者識別部は、前記体重検知部により検知された体重により前記同乗者を識別する請求項１に記載の周辺情報表示装置。
【請求項９】
携帯通信機器と通信する近距離通信部をさらに備え、
前記同乗者識別部は、前記近距離通信部により取得された前記携帯通信機器を識別する携帯通信機器識別情報により前記同乗者を識別する請求項１に記載の周辺情報表示装置。
【請求項１０】
前記自動車両を運転する運転者を識別する運転者識別部をさらに備え、
前記周辺情報表示部は、前記同乗者および前記運転者の組み合わせに基づいて前記周辺情報を表示する請求項１から９のいずれかに記載の周辺情報表示装置。
【請求項１１】
自動車両に搭載される周辺情報表示装置、および、前記自動車両の外部に設けられ前記周辺情報表示装置と無線通信機器を介して通信するサーバを備える周辺情報提供システムであって、
前記サーバは、
属性に対応付けて、前記周辺情報を格納する周辺情報格納部と、
前記周辺情報格納部に格納されている前記周辺情報を読み出して前記周辺情報表示装置に送信する周辺情報取得部と
を備え、
前記周辺情報表示装置は、
前記自動車両の現在の位置を取得する現在位置取得部と、
前記自動車両の目的地の入力を受け付ける目的地受付部と、
地図を予め格納する地図格納部と、
前記現在位置取得部により取得された前記現在の位置、および、前記目的地受付部により取得された前記目的地に基づいて算出される、現在の地点から前記目的地までの経路の少なくとも一部の地図を前記地図格納部から読み出して表示する地図表示部と、
前記自動車両に同乗している同乗者を識別する同乗者識別部と、
前記同乗者識別部により識別される前記同乗者の情報に基づいて、前記一部の地図の周辺情報を前記周辺情報取得部から取得して前記地図に重ねて表示する周辺情報表示部と
を備える周辺情報提供システム。
【請求項１２】
前記周辺情報表示装置は、
前記同乗者を識別する同乗者識別情報に対応付けて、前記同乗者の属性を格納する属性格納部をさらに備え、
前記同乗者識別部は、前記同乗者を識別する前記同乗者識別情報を前記周辺情報表示部に受け渡し、
前記周辺情報表示部は、前記同乗者識別部から受け渡された前記同乗者識別情報に対応付けて前記属性格納部に格納されている前記属性を読み出し、前記属性を前記周辺情報取得部に送信し、
前記周辺情報取得部は、前記周辺情報表示部から送信された前記属性に対応付けて前記周辺情報格納部に格納されている前記周辺情報を読み出し、前記周辺情報を前記周辺情報表示装置に送信し、
前記周辺情報表示部は、前記周辺情報取得部から送信された前記周辺情報を前記地図に重ねて表示する請求項１１に記載の周辺情報提供システム。
【請求項１３】
前記周辺情報表示装置は、
前記同乗者を識別する同乗者識別情報に対応付けて、過去に前記同乗者が同乗していたときに選択された周辺情報に対応付けられた属性を格納する履歴格納部をさらに備え、
前記同乗者識別部は、前記同乗者を識別する前記同乗者識別情報を前記周辺情報表示部に受け渡し、
前記周辺情報表示部は、前記同乗者識別部から受け渡された前記同乗者識別情報に対応付けて前記履歴格納部に格納されている前記属性を読み出し、前記属性を前記周辺情報取得部に送信し、
前記周辺情報取得部は、前記周辺情報表示部から送信された前記属性に対応付けて前記周辺情報格納部に格納されている前記周辺情報を読み出し、前記周辺情報を前記周辺情報表示装置に送信し、
前記周辺情報表示部は、前記周辺情報取得部から送信された前記周辺情報を前記地図に重ねて表示する請求項１１に記載の周辺情報提供システム。
【請求項１４】
前記周辺情報表示装置は、
前記同乗者を識別する同乗者識別情報に対応付けて、過去に前記同乗者が同乗していたときに選択された周辺情報を格納する履歴格納部をさらに備え、
前記同乗者識別部は、前記同乗者を識別する前記同乗者識別情報を前記周辺情報表示部に受け渡し、
前記周辺情報表示部は、前記同乗者識別部から受け渡された前記同乗者識別情報に対応付けて前記履歴格納部に格納されている前記周辺情報を読み出し、前記周辺情報を前記周辺情報取得部に送信し、
前記周辺情報取得部は、前記周辺情報表示部から送信された前記周辺情報と同じ属性に対応付けて前記周辺情報格納部に格納されている前記周辺情報を読み出し、前記周辺情報を前記周辺情報表示装置に送信し、
前記周辺情報表示部は、前記周辺情報取得部から送信された前記周辺情報を前記地図に重ねて表示する請求項１１に記載の周辺情報提供システム。
【請求項１５】
前記周辺情報表示装置は、
過去の所定の時間における当該自動車両の平均速度を算出する速度算出部と、
前記速度算出部により算出された前記平均速度および前記現在位置取得部により取得された前記現在の位置に基づいて、所定の時間の経過後に前記自動車両が位置する予定の予定エリアを算出する予定エリア算出部と
を更に備え、
前記周辺情報表示部は、前記予定エリア算出部により算出された前記予定エリアを特定する情報を前記周辺情報取得部に送信し、
前記周辺情報取得部は、前記周辺情報表示部から送信された前記予定エリアを特定する情報に基づいて特定される前記予定エリア内の一の位置に対応付けて前記周辺情報格納部に格納されている前記周辺情報を読み出し、前記周辺情報を前記周辺情報表示部に送信する請求項１１に記載の周辺情報提供システム。
【請求項１６】
前記予定エリア算出部は、前記平均速度に所定の定数を乗じて下限速度および上限速度を算出し、前記上限速度で前記所定の時間に到達可能な最大到達エリアから前記下限速度で前記所定の時間に到達可能な最小到達エリアを除いたエリアを前記予定エリアとする請求項１５に記載の周辺情報提供システム。
【請求項１７】
前記周辺情報表示装置は、
音声を検知する音声検知部をさらに備え、
前記同乗者識別部は、前記音声検知部により検知された音声により前記同乗者を識別する請求項１１に記載の周辺情報提供システム。
【請求項１８】
前記周辺情報表示装置は、
同乗者用シートに配されたシートポジション検知部をさらに備え、
前記同乗者識別部は、前記シートポジション検知部により検知されたシートポジションにより前記同乗者を識別する請求項１１に記載の周辺情報提供システム。
【請求項１９】
前記周辺情報表示装置は、
同乗者用シートに配された体重検知部をさらに備え、
前記同乗者識別部は、前記体重検知部により検知された体重により前記同乗者を識別する請求項１１に記載の周辺情報提供システム。
【請求項２０】
前記周辺情報表示装置は、
携帯通信機器と通信する近距離通信部をさらに備え、
前記同乗者識別部は、前記近距離通信部により取得された前記携帯通信機器を識別する携帯通信機器識別情報により前記同乗者を識別する請求項１１に記載の周辺情報提供システム。
【請求項２１】
前記周辺情報表示装置は、
前記自動車両を運転する運転者を識別する運転者識別部をさらに備え、
前記周辺情報表示部は、前記同乗者および前記運転者の組み合わせに基づいて前記周辺情報を表示する請求項１１から２０のいずれかに記載の周辺情報提供システム。
【発明の詳細な説明】
【技術分野】
【０００１】
本発明は、周辺情報表示装置および周辺情報表示システムに関する。特に、同乗者の情報に基づいて、周辺情報を表示する周辺情報表示装置および周辺情報表示システムに関する。
【背景技術】
【０００２】
登録された年齢、性別、嗜好などに関する情報に基づいて、ドライブコースを設定するナビゲーション装置が知られている（例えば、特許文献１）。また、登録された嗜好などの情報に加えて、経由地の到着時刻を考慮したドライブプランを作成するドライブプラン作成装置が知られている（例えば、特許文献２）。
【特許文献１】特開２００３−２３２６４７号公報
【特許文献２】特開２００６−０５８０８９号公報
【発明の開示】
【発明が解決しようとする課題】
【０００３】
しかしながら、特許文献１に記載のナビゲーション装置、および、特許文献２に記載のドライブプラン作成装置によれば、運転者に関する個人情報に基づいてドライブコースが設定されるので、同乗者がいる場合に、その同乗者の存在がドライブコースの設定、経由地の検索などに反映されないという課題がある。
【課題を解決するための手段】
【０００４】
上記課題を解決するために、本発明の第１の形態においては、自動車両に搭載される周辺情報表示装置であって、自動車両の現在の位置を取得する現在位置取得部と、自動車両の目的地の入力を受け付ける目的地受付部と、地図を予め格納する地図格納部と、現在位置取得部により取得された現在の位置、および、目的地受付部により取得された目的地に基づいて算出される、現在の地点から目的地までの経路の少なくとも一部の地図を地図格納部から読み出して表示する地図表示部と、自動車両に同乗している同乗者を識別する同乗者識別部と、同乗者識別部により識別される同乗者の情報に基づいて、一部の地図の周辺情報を取得して地図に重ねて表示する周辺情報表示部とを備える。これにより、同乗者がいる場合に、同乗者を自動的に識別して、当該同乗者に合わせた周辺情報を提供することができる。
【０００５】
周辺情報は属性に対応付けられており、同乗者を識別する同乗者識別情報に対応付けて、同乗者の属性を格納する属性格納部をさらに備え、同乗者識別部は、同乗者を識別する同乗者識別情報を周辺情報表示部に受け渡し、周辺情報表示部は、同乗者識別部から受け渡された同乗者識別情報に対応付けて属性格納部に格納されている属性を読み出し、属性に対応付けられている周辺情報を地図に重ねて表示してもよい。これにより、同乗者がいる場合に、個々の同乗者に合わせた周辺情報を提供することができる。
【０００６】
周辺情報は属性に対応付けられており、同乗者を識別する同乗者識別情報に対応付けて、過去に同乗者が同乗していたときに選択された周辺情報に対応付けられた属性を格納する履歴格納部をさらに備え、同乗者識別部は、同乗者を識別する同乗者識別情報を周辺情報表示部に受け渡し、周辺情報表示部は、同乗者識別部から受け渡された同乗者識別情報に対応付けて履歴格納部に格納されている属性を読み出し、属性に対応付けられている周辺情報を地図に重ねて表示してもよい。これにより、同乗者がいる場合に、その同乗者の嗜好に合わせた周辺情報を提供することができる。
【０００７】
過去の所定の時間における当該自動車両の平均速度を算出する速度算出部と、前記速度算出部により算出された前記平均速度および前記現在位置取得部により取得された前記現在の位置に基づいて、所定の時間の経過後に前記自動車両が位置する予定の予定エリアを算出する予定エリア算出部とを更に備え、前記周辺情報表示部は、前記予定エリアに含まれる前記周辺情報のみを前記地図に重ねて表示してもよい。これにより、所定時間後に休息を取る可能性が高いエリアの周辺情報のみを提供することができる。
【０００８】
予定エリア算出部は、平均速度に所定の定数を乗じて下限速度および上限速度を算出し、上限速度で所定の時間に到達可能な最大到達エリアから下限速度で所定の時間に到達可能な最小到達エリアを除いたエリアを予定エリアとしてもよい。これにより、予定エリアを簡便に算出することができる。
【０００９】
音声を検知する音声検知部をさらに備え、同乗者識別部は、音声検知部により検知された音声により同乗者を識別してもよい。これにより、同乗者がいる場合に、その同乗者に合わせた周辺情報を、簡便に提供することができる。
【００１０】
同乗者用シートに配されたシートポジション検知部をさらに備え、同乗者識別部は、シートポジション検知部により検知されたシートポジションにより同乗者を識別してもよい。これにより、同乗者がいる場合に、その同乗者に合わせた周辺情報を、簡便に提供することができる。
【００１１】
同乗者用シートに配された体重検知部をさらに備え、同乗者識別部は、体重検知部により検知された体重により同乗者を識別してもよい。これにより、同乗者がいる場合に、その同乗者に合わせた周辺情報を、簡便に提供することができる。
【００１２】
携帯通信機器と通信する近距離通信部をさらに備え、同乗者識別部は、近距離通信部により取得された携帯通信機器を識別する携帯通信機器識別情報により同乗者を識別してもよい。これにより、同乗者がいる場合に、その同乗者に合わせた周辺情報を、簡便に提供することができる。
【００１３】
自動車両を運転する運転者を識別する運転者識別部をさらに備え、周辺情報表示部は、同乗者および運転者の組み合わせに基づいて周辺情報を表示してもよい。これにより、同乗者がいる場合に、運転者と同乗者との両方に合わせた周辺情報を提供することができる。
【００１４】
上記課題を解決するために、本発明の第２の形態においては、自動車両に搭載される周辺情報表示装置、および、自動車両の外部に設けられ周辺情報表示装置と無線通信機器を介して通信するサーバを備える周辺情報提供システムであって、サーバは、属性に対応付けて、周辺情報を格納する周辺情報格納部と、周辺情報格納部に格納されている周辺情報を読み出して周辺情報表示装置に送信する周辺情報取得部とを備え、周辺情報表示装置は、自動車両の現在の位置を取得する現在位置取得部と、自動車両の目的地の入力を受け付ける目的地受付部と、地図を予め格納する地図格納部と、現在位置取得部により取得された現在の位置、および、目的地受付部により取得された目的地に基づいて算出される、現在の地点から目的地までの経路の少なくとも一部の地図を地図格納部から読み出して表示する地図表示部と、自動車両に同乗している同乗者を識別する同乗者識別部と、同乗者識別部により識別される同乗者の情報に基づいて、一部の地図の周辺情報を周辺情報取得部から取得して地図に重ねて表示する周辺情報表示部とを備える。これにより、第１の形態と同一の効果を得ることができる。
【００１５】
周辺情報表示装置は、同乗者を識別する同乗者識別情報に対応付けて、同乗者の属性を格納する属性格納部をさらに備え、同乗者識別部は、同乗者を識別する同乗者識別情報を周辺情報表示部に受け渡し、周辺情報表示部は、同乗者識別部から受け渡された同乗者識別情報に対応付けて属性格納部に格納されている属性を読み出し、属性を周辺情報取得部に送信し、周辺情報取得部は、周辺情報表示部から送信された属性に対応付けて周辺情報格納部に格納されている周辺情報を読み出し、周辺情報を周辺情報表示装置に送信し、周辺情報表示部は、周辺情報取得部から送信された周辺情報を地図に重ねて表示してもよい。
【００１６】
周辺情報表示装置は、同乗者を識別する同乗者識別情報に対応付けて、過去に同乗者が同乗していたときに選択された周辺情報に対応付けられた属性を格納する履歴格納部をさらに備え、同乗者識別部は、同乗者を識別する同乗者識別情報を周辺情報表示部に受け渡し、周辺情報表示部は、同乗者識別部から受け渡された同乗者識別情報に対応付けて履歴格納部に格納されている属性を読み出し、属性を周辺情報取得部に送信し、周辺情報取得部は、周辺情報表示部から送信された属性に対応付けて周辺情報格納部に格納されている周辺情報を読み出し、周辺情報を周辺情報表示装置に送信し、周辺情報表示部は、周辺情報取得部から送信された周辺情報を地図に重ねて表示してもよい。
【００１７】
周辺情報表示装置は、同乗者を識別する同乗者識別情報に対応付けて、過去に同乗者が同乗していたときに選択された周辺情報を格納する履歴格納部をさらに備え、同乗者識別部は、同乗者を識別する同乗者識別情報を周辺情報表示部に受け渡し、周辺情報表示部は、同乗者識別部から受け渡された同乗者識別情報に対応付けて履歴格納部に格納されている周辺情報を読み出し、周辺情報を周辺情報取得部に送信し、周辺情報取得部は、周辺情報表示部から送信された周辺情報と同じ属性に対応付けて周辺情報格納部に格納されている周辺情報を読み出し、周辺情報を周辺情報表示装置に送信し、周辺情報表示部は、周辺情報取得部から送信された周辺情報を地図に重ねて表示してもよい。
【００１８】
前記周辺情報表示装置は、過去の所定の時間における当該自動車両の平均速度を算出する速度算出部と、前記速度算出部により算出された前記平均速度および前記現在位置取得部により取得された前記現在の位置に基づいて、所定の時間の経過後に前記自動車両が位置する予定の予定エリアを算出する予定エリア算出部とを更に備え、前記周辺情報表示部は、前記予定エリア算出部により算出された前記予定エリアを特定する情報を前記周辺情報取得部に送信し、前記周辺情報取得部は、前記周辺情報表示部から送信された前記予定エリアを特定する情報に基づいて特定される前記予定エリア内の一の位置に対応付けて前記周辺情報格納部に格納されている前記周辺情報を読み出し、前記周辺情報を前記周辺情報表示部に送信してもよい。
【００１９】
前記予定エリア算出部は、前記平均速度に所定の定数を乗じて下限速度および上限速度を算出し、前記上限速度で前記所定の時間に到達可能な最大到達エリアから前記下限速度で前記所定の時間に到達可能な最小到達エリアを除いたエリアを前記予定エリアとしてもよい。
【００２０】
周辺情報表示装置は、音声を検知する音声検知部をさらに備え、同乗者識別部は、音声検知部により検知された音声により同乗者を識別してもよい。
【００２１】
周辺情報表示装置は、同乗者用シートに配されたシートポジション検知部をさらに備え、同乗者識別部は、シートポジション検知部により検知されたシートポジションにより同乗者を識別してもよい。
【００２２】
周辺情報表示装置は、同乗者用シートに配された体重検知部をさらに備え、同乗者識別部は、体重検知部により検知された体重により同乗者を識別してもよい。
【００２３】
周辺情報表示装置は、携帯通信機器と通信する近距離通信部をさらに備え、同乗者識別部は、近距離通信部により取得された携帯通信機器を識別する携帯通信機器識別情報により同乗者を識別してもよい。
【００２４】
周辺情報表示装置は、自動車両を運転する運転者を識別する運転者識別部をさらに備え、周辺情報表示部は、同乗者および運転者の組み合わせに基づいて周辺情報を表示してもよい。
【００２５】
なお、上記の発明の概要は、本発明の必要な特徴の全てを列挙したものではなく、これらの特徴群のサブコンビネーションもまた、発明となりうる。
【発明の効果】
【００２６】
以上の説明から明らかなように、本発明によれば、同乗者がいる場合に、同乗者を自動的に識別して、当該同乗者に合わせた周辺情報を提供することができる。
【発明を実施するための最良の形態】
【００２７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２８】
図１は、周辺情報表示システム４０を示す模式図である。周辺情報表示システム４０は、自動車両に搭載される周辺情報表示装置１０、および、自動車両の外部に設置されたサーバ２０を備える。周辺情報表示装置１０とサーバ２０は、自動車両が備える不図示の公衆無線ＬＡＮ用アンテナ、および、自動車両の外部に設置される公衆無線ＬＡＮ基地局３０を介して互いに通信する。また、自動車両は、ＧＰＳ衛星１４からの電波を受信する不図示のＧＰＳ用アンテナを備える。
【００２９】
周辺情報表示装置１０は、カーナビゲーション装置１００、同乗者側に配され、同乗者に関する情報を検知する同乗者検知部１７０、および、運転者側に配され、図１において不図示の運転者検知部１９０を備える。カーナビゲーション装置１００は、不図示の車載ネットワークにより、ＧＰＳアンテナ、同乗者検知部１７０および運転者検知部１９０と接続する。
【００３０】
カーナビゲーション装置１００は、操作パネル１０４を備える本体１０２およびディスプレイ１０６を備える。操作パネル１０４は、運転者または同乗者からの入力を受け付ける複数の操作ボタンを有する。
【００３１】
同乗者検知部１７０は、近距離通信部１７２、体重検知部１７４、シートポジション検知部１７６および音声検知部１７８を備える。ここで、近距離通信部１７２は、同乗者用シートの前面のダッシュボードに配され、Ｂｌｕｅｔｏｏｔｈなどにより同乗者の携帯電話と通信する。また、体重検知部１７４は、同乗者用シートの内部または下部に配され、同乗者の体重を検知する。同様に、シートポジション検知部１７６は、同乗者用シートの下部に配され、同乗者のシートポジションを示す値を検知する。同様に、音声検知部１７８は、同乗者用シートの前面のダッシュボードに配され、同乗者の音声を検知する。
【００３２】
運転者検知部１９０は、不図示の近距離通信部、体重検知部、シートポジション検知部および音声検知部を備える。これらは、同乗者検知部１７０が備える近距離通信部１７２、体重検知部１７４、シートポジション検知部１７６および音声検知部１７８と同様の構成を有する。
【００３３】
図２は、周辺情報表示装置１０のブロック図である。図３は、ＩＤ格納部１６４に格納される情報の一例を示す。図４は、属性格納部１５０に格納される情報の一例を示す。図２に示すように、周辺情報表示装置１０は、カーナビゲーション装置１００、同乗者検知部１７０および運転者検知部１９０を備える。
【００３４】
カーナビゲーション装置１００の本体１０２は、操作パネル１０４に加えて、地図表示部１１０、周辺情報表示部１２０、目的地受付部１３０、現在位置取得部１３２、地図格納部１４０、属性格納部１５０、周辺情報一時格納部１４２、同乗者識別部１６０および運転者識別部１８０を備える。
【００３５】
現在位置取得部１３２は、ＧＰＳ衛星１４からの電波を受信することにより現在位置を取得する。また、目的地受付部１３０は、操作パネル１０４の操作ボタンを介して自動車両の目的地の入力を受け付ける。地図格納部１４０は地図を予め格納する。
【００３６】
同乗者識別部１６０は、ＩＤ取得部１６２およびＩＤ格納部１６４を有する。ＩＤ格納部１６４は、同乗者を識別する同乗者ＩＤに対応付けて、同乗者に関する同乗者情報を格納する。例えば図３に示すように、ＩＤ格納部１６４は、同乗者情報として、同乗者の体重、同乗者のシートポジションを示す値、同乗者の携帯電話を識別する電話番号、および、同乗者の音声の特徴を示す音声特徴量を格納する。
【００３７】
ＩＤ取得部１６２は、同乗者ＩＤを取得する取得モードにおいて、同乗者検知部１７０により取得された同乗者情報に対応付けてＩＤ格納部１６４に格納されている同乗者ＩＤを取得する。例えば、ＩＤ取得部１６２は、近距離通信部１７２により取得された電話番号に対応付けてＩＤ格納部１６４に格納されている同乗者ＩＤを取得する。これに代えてまたはこれに加えて、ＩＤ取得部１６２は、体重検知部１７４により取得された体重から所定の範囲内である体重に対応付けてＩＤ格納部１６４に格納されている同乗者ＩＤを取得する。さらに、これに代えてまたはこれに加えて、ＩＤ取得部１６２は、シートポジション検知部１７６により取得されたシートポジションを示す値から所定の範囲内であるシートポジションを示す値に対応付けてＩＤ格納部１６４に格納されている同乗者ＩＤを取得する。さらに、これに代えてまたはこれに加えて、ＩＤ取得部１６２は、ＩＤ取得部１６２は、音声検知部１７８により取得された音声特徴量を示す値から所定の範囲内である音声特徴量に対応付けてＩＤ格納部１６４に格納されている同乗者ＩＤを取得する。そしてＩＤ取得部１６２は、取得した同乗者ＩＤを周辺情報表示部１２０に受け渡す。
【００３８】
ここでＩＤ取得部１６２は、体重に基づいて２以上の同乗者ＩＤを取得した場合には、取得した２以上の同乗者ＩＤを周辺情報表示部１２０に受け渡してもよいし、体重検知部１７４により取得された体重、または、体重検知部１７４により取得された体重に最も近い体重に対応付けられた一の同乗者ＩＤを周辺情報表示部１２０に受け渡してもよい。周辺情報表示部１２０は、ＩＤ取得部１６２から２以上の同乗者ＩＤを受け渡された場合には、その２以上の同乗者ＩＤをディスプレイ１０６に表示するとともに、操作パネル１０４の操作ボタンを介して一の同乗者ＩＤの選択を受け付けることが好ましい。なお、ＩＤ取得部１６２がシートポジションを示す値または音声特徴量に基づいて２以上の同乗者ＩＤを取得した場合も同様であってもよい。
【００３９】
また、ＩＤ取得部１６２は、近距離通信部１７２、体重検知部１７４、シートポジション検知部１７６および音声検知部１７８から取得したそれぞれの情報の組み合わせに基づいて、同乗者ＩＤを取得してもよい。例えば、ＩＤ取得部１６２は、近距離通信部１７２、体重検知部１７４、シートポジション検知部１７６および音声検知部１７８から取得した同乗者ＩＤのうちで最も重複していた同乗者ＩＤを、現在の同乗者の同乗者ＩＤと判断してもよい。
【００４０】
また、ＩＤ取得部１６２は、同乗者ＩＤを登録する登録モードにおいて、新規の同乗者ＩＤに対応付けて、近距離通信部１７２等により取得された電話番号等をＩＤ格納部１６４に格納する。なお、ＩＤ取得部１６２は、操作パネル１０４の操作ボタンを介してモード切替情報の入力を受け付けた場合に、取得モードと登録モードとを切り替える。
【００４１】
運転者識別部１８０は、不図示のＩＤ取得部およびＩＤ格納部を有する。これらの機能は、同乗者識別部１６０が有するＩＤ取得部１６２およびＩＤ格納部１６４と同様なので説明を省略する。
【００４２】
地図表示部１１０は、現在位置取得部１３２により取得された現在位置、および、目的地受付部１３０により取得された目的地に基づいて算出される、現在の地点から目的地までの経路の少なくとも一部の地図を地図格納部１４０から読み出してディスプレイ１０６に表示する。
【００４３】
属性格納部１５０は、同乗者ＩＤに対応付けて、同乗者の属性を格納する。例えば図４（ａ）に示すように、属性格納部１５０は、基本属性情報１５２として、同乗者ＩＤに対応付けて、同乗者の性別区分、同乗者の年齢、および、同乗者の職業区分を格納する。
【００４４】
また、属性格納部１５０は、同乗者ＩＤに対応付けて、過去に同乗者が同乗していたときに選択された、周辺情報に対応付けられた属性を格納する。具体的には、図４（ｂ）に示すように、属性格納部１５０は、履歴属性情報１５４として同乗者ＩＤに対応付けて、その周辺情報を識別する周辺情報ＩＤ、その周辺情報により特定される店舗または名所などの立ち寄りスポットの種別を示す周辺情報種別、および、その周辺情報が選択された日時を示す選択日時を格納する。ここで、周辺情報は、地図表示部１１０によりディスプレイ１０６に表示された地図に示される地域に存在する立ち寄りスポットに関する画像情報、および、当該立ち寄りスポットに関するアイコン画像を含む。周辺情報は、さらに、音声ガイダンス等の音声情報を含んでもよい。この属性格納部１５０は履歴格納部の一例である。
【００４５】
周辺情報表示部１２０は、ＩＤ取得部１６２から受け渡された同乗者ＩＤに対応付けて属性格納部１５０に格納されている属性を読み出す。周辺情報表示部１２０は、公衆無線ＬＡＮ基地局３０を介して、読み出した属性をサーバ２０に送信する。なお、サーバ２０は、周辺情報であるアイコン画像を格納しており、受信した属性に基づいてアイコン画像を抽出し、公衆無線ＬＡＮ基地局３０を介して、抽出したアイコン画像を周辺情報一時格納部１４２に送信する。なお、サーバ２０の動作の詳細は後述する。
【００４６】
周辺情報一時格納部１４２は、公衆無線ＬＡＮ基地局３０を介してサーバ２０から送信される周辺情報、および、周辺情報に対応付けられた属性を一時的に格納する。具体的には、周辺情報一時格納部１４２は、周辺情報ＩＤに対応付けて、周辺情報のアイコン画像、周辺情報種別および所在地を一時的に格納する。
【００４７】
また、周辺情報表示部１２０は、周辺情報一時格納部１４２に格納されている周辺情報のアイコン画像を読み出して、地図表示部１１０により表示されている地図に重ねて、ディスプレイ１０６に表示する。
【００４８】
さらに、周辺情報表示部１２０は、操作パネル１０４の操作ボタンを介して、表示している周辺情報のアイコン画像に対する入力を受け付けた場合に、入力を受け付けたときの同乗者に関する同乗者ＩＤに対応付けて、周辺情報一時格納部１４２に格納されている周辺情報ＩＤおよび周辺情報種別を、属性格納部１５０に履歴属性情報１５４として格納する。この場合に、周辺情報表示部１２０は、当該入力を受け付けた日時を、選択日時として格納する。周辺情報表示部１２０は、これにかえて、または加えて、例えばＧＰＳ衛星１４からの情報に基づいて、当該自動車両がアイコン画像により示される立ち寄りスポットの所在地に停車したと判断した場合に、当該アイコン画像に対応付けて周辺情報一時格納部１４２に格納されている周辺情報ＩＤおよび周辺情報種別を、属性格納部１５０に履歴属性情報１５４として格納してもよい。この場合に、周辺情報表示部１２０は、その停車した日時を、選択日時として格納する。
【００４９】
なお、カーナビゲーション装置１００の本体１０２は、さらに、非図示の速度算出部、および、非図示の予定エリア算出部を備えてもよい。速度算出部は、過去の所定の時間における当該自動車両の平均速度を算出する。予定エリア算出部は、速度算出部により算出された平均速度および現在位置取得部１３２により取得された現在の位置に基づいて、所定の時間の経過後に自動車両が位置する予定の予定エリアを算出する。
【００５０】
図５は、サーバ２０のブロック図である。図６は、周辺情報格納部２１０に格納される情報の一例を示す。図５に示すように、サーバ２０は、周辺情報取得部２００および周辺情報格納部２１０を備える。周辺情報格納部２１０は、同乗者の属性に対応付けて周辺情報を格納する。例えば図６に示すように、周辺情報格納部２１０は、周辺情報ＩＤに対応付けて、周辺情報種別、同乗者の属性である基本属性、周辺情報により特定される立ち寄りスポットの名称を示すスポット名、所在地、および、２種類のアイコン画像を格納する。ここで、２種類のアイコン画像の一方は、他の一方のアイコン画像に比べて目立つ外観を有する強調画像である。
【００５１】
周辺情報取得部２００は、公衆無線ＬＡＮ基地局３０を介して周辺情報表示部１２０から属性を受信する。周辺情報取得部２００は、受信した属性に対応付けて周辺情報格納部２１０に格納されているアイコン画像等を読み出す。周辺情報取得部２００は、公衆無線ＬＡＮ基地局３０を介して、読み出したアイコン画像等を周辺情報一時格納部１４２に送信する。
【００５２】
図７は、周辺情報表示システム４０の動作の一例を示すフローチャートである。図８は、サーバ２０に送信される周辺情報要求データのペイロードの一例を示す。図９は、周辺情報表示装置１０に送信される応答データのペイロードの一例を示す。図１０は、ディスプレイ１０６への表示の一例を示す。
【００５３】
図７に示すフローチャートは、出発前に同乗者の所持する携帯電話の電話番号を近距離通信部１７２が受信することにより開始する。また、本フローチャートの開始時において、目的地受付部１３０は、目的地の入力を受け付けているものとする。また、本フローチャートの開始時において、ＩＤ格納部１６４は図３に示す情報を格納しており、属性格納部１５０は、図４（ａ）に示す基本属性情報１５２、および、図４（ｂ）に示す履歴属性情報１５４を格納しているものとする。また、本フローチャートの開始時において、周辺情報格納部２１０は、図６に示す情報を格納しているものとする。なお、本フローチャートの開始時は、２００６年８月１２日１１時であるものとする。また、本フローチャートの左側は周辺情報表示装置１０の動作を、右側はサーバ２０の動作をそれぞれ示す。
【００５４】
ＩＤ取得部１６２は、近距離通信部１７２により取得された電話番号「ＸＸＸ−ＸＸＸ−１２３４」に対応付けてＩＤ格納部１６４に格納されている同乗者ＩＤ「Ｐ０１２」を取得する（Ｓ１００）。ＩＤ取得部１６２は、取得した同乗者ＩＤ「Ｐ０１２」を周辺情報表示部１２０に受け渡す。
【００５５】
周辺情報表示部１２０は、ＩＤ取得部１６２から受け渡された同乗者ＩＤ「Ｐ０１２」に対応付けて属性格納部１５０の基本属性情報１５２に格納されている性別区分「Ｆ」、年齢「３０」、職業区分「Ｊ９」を抽出する（Ｓ１１０）。また、周辺情報表示部１２０は、当該同乗者ＩＤ「Ｐ０１２」に対応付けて属性格納部１５０の履歴属性情報１５４に格納されている、周辺情報ＩＤ「Ｓ０１０１」に対応付けられた周辺情報種別「１３」を抽出する（同ステップ）。この場合に、周辺情報表示部１２０は、履歴属性情報１５４のうち、現在の日時から所定の期間内、例えば１月内の選択日時を有する履歴属性情報１５４を抽出することが好ましい。この所定の期間は周辺情報表示部１２０に予め設定されていてもよいし、ユーザからの入力によって設定されてもよい。これにより、同乗者の直近の行動に基づいて周辺情報を取得することができる。
【００５６】
現在位置取得部１３２は、ＧＰＳ衛星１４からの電波を受信することにより現在位置を取得する（Ｓ１２０）。地図表示部１１０は、現在位置および目的地に基づいて地図を地図格納部１４０から読み出してディスプレイ１０６に表示する（Ｓ１３０）。
【００５７】
周辺情報表示部１２０は、入力されている目的地、ステップＳ１１０において抽出した属性、および、ステップＳ１２０において取得した現在位置に基づいて、周辺情報を要求する周辺情報要求データを生成する（Ｓ１４０）。例えば図８に示すように、周辺情報表示部１２０は、現在位置「座標（Ｘ１０、Ｙ１０）」、目的地「座標（Ｘ１１、Ｙ１１）」、性別区分「Ｆ」、年齢「３０」、職業区分「Ｊ９」、周辺情報ＩＤ「Ｓ０１０１」および周辺情報種別「１３」を含む周辺情報要求データを生成する。周辺情報表示部１２０は、生成した周辺情報要求データをサーバ２０の周辺情報取得部２００に送信する（同ステップ）。
【００５８】
周辺情報取得部２００は、周辺情報表示部１２０から受信した周辺情報要求データに含まれる、現在位置「座標（Ｘ１０、Ｙ１０）」、目的地「座標（Ｘ１１、Ｙ１１）」、性別区分「Ｆ」、年齢「３０」、職業区分「Ｊ９」、周辺情報ＩＤ「Ｓ０１０１」および周辺情報種別「１３」をキー項目として、周辺情報格納部２１０から周辺情報ＩＤを抽出する（Ｓ２００）。この場合に、周辺情報取得部２００は、これらのキー項目に全て一致する項目に対応付けられた周辺情報ＩＤを周辺情報格納部２１０から抽出してもよいし、これらのキー項目のうちいくつかが一致する項目に対応付けられた周辺情報ＩＤを周辺情報格納部２１０から抽出してもよい。いずれの項目が一致したら抽出するかは予め周辺情報取得部２００に設定されていてもよい。この場合、周辺情報取得部２００は、周辺情報格納部２１０に格納された所在地が、キー項目である現在位置および目的地から算出される所定の領域内に存在した場合には、当該所在地はキー項目である現在位置および目的地に一致すると判断する。
【００５９】
周辺情報取得部２００は、周辺情報格納部２１０から少なくとも１つの周辺情報ＩＤを抽出したか否かを判断する（Ｓ２１０）。ステップＳ２１０において周辺情報格納部２１０から少なくとも１つの周辺情報ＩＤを抽出したと判断した場合（Ｓ２１０：Ｙｅｓ）、周辺情報取得部２００は、抽出した周辺情報ＩＤに基づいて、アイコン画像を含む応答データを生成する（Ｓ２２０）。具体的には、周辺情報取得部２００は、周辺情報ＩＤ「Ｓ０１０１」「Ｓ０１０４」を抽出した場合に、図９に示すように、周辺情報ＩＤ「Ｓ０１０１」、周辺情報ＩＤ「Ｓ０１０１」に対応付けて周辺情報格納部２１０に格納されている所在地「座標（Ｘ１、Ｙ１）」、アイコン画像「飲食店Ａ＿強調．ｊｐｇ」および周辺情報種別「１３」、並びに、周辺情報ＩＤ「Ｓ０１０４」、周辺情報ＩＤ「Ｓ０１０４」に対応付けて周辺情報格納部２１０に格納されている所在地「座標（Ｘ４、Ｙ４）」、アイコン画像「飲食店Ｃ＿通常．ｊｐｇ」および周辺情報種別「１３」を含む応答データを生成する。このように、周辺情報取得部２００は、ステップＳ２００において履歴属性情報１５４からの周辺情報ＩＤをキー項目として抽出された周辺情報ＩＤに対して、当該周辺情報ＩＤに対応付けられた２種のアイコン画像のうち、強調画像であるアイコン画像を含む応答データを生成する。これにより、過去に立ち寄ったことがある周辺情報については、再び立ち寄る可能性があるので、当該周辺情報を強調してユーザに認識しやすくすることができる。周辺情報取得部２００は、生成した応答データを周辺情報表示装置１０の周辺情報一時格納部１４２に送信する。そして、周辺情報取得部２００は、次回の周辺情報要求データの受信まで待機する。
【００６０】
一方、ステップＳ２１０において周辺情報取得部２００は、周辺情報格納部２１０から少なくとも１つの周辺情報ＩＤを抽出していないと判断した場合（Ｓ２１０：Ｎｏ）、周辺情報取得部２００は、ステップＳ２２０を飛ばして、次回の周辺情報要求データの受信まで待機する。
【００６１】
周辺情報表示部１２０は、周辺情報一時格納部１４２を参照することにより、応答データを受信したか否かを判断する（Ｓ１５０）。ステップＳ１５０において応答データを受信したと判断した場合（Ｓ１５０：Ｙｅｓ）、周辺情報表示部１２０は、周辺情報一時格納部１４２に格納されているアイコン画像等を読み出して、読み出したアイコン画像を、地図表示部１１０により表示されている地図に重ねてディスプレイ１０６に表示する（Ｓ１６０）。例えば図１０に示すように、周辺情報表示部１２０は、所在地「座標（Ｘ１、Ｙ１）」およびアイコン画像「飲食店Ａ＿強調．ｊｐｇ」を読み出して、そのアイコン画像「飲食店Ａ＿強調．ｊｐｇ」をその所在地「座標（Ｘ１、Ｙ１）」に基づいてディスプレイ１０６に表示し、所在地「座標（Ｘ４、Ｙ４）」およびアイコン画像「飲食店Ｃ＿通常．ｊｐｇ」を読み出して、そのアイコン画像「飲食店Ｃ＿通常．ｊｐｇ」をその所在地「座標（Ｘ４、Ｙ４）」に基づいてディスプレイ１０６に表示する。
【００６２】
なお、周辺情報表示部１２０は、図１０に示すように、アイコン画像「飲食店Ａ＿強調．ｊｐｇ」に対応付けてスポット名「飲食店Ａ」を、アイコン画像「飲食店Ｃ＿通常．ｊｐｇ」に対応付けてスポット名「飲食店Ｃ」を表示してもよい。この場合、ステップＳ２２０において周辺情報取得部２００は、抽出した周辺情報ＩＤに対応付けて周辺情報格納部２１０に格納されているスポット名を含む応答データを生成する。なお、スポット名「飲食店Ａ」を付して表示されたアイコン画像「飲食店Ａ＿強調．ｊｐｇ」の太枠は、強調画像である旨を示す。
【００６３】
一方、ステップＳ１５０において周辺情報表示部１２０は、周辺情報一時格納部１４２を参照することにより、応答データを受信していないと判断した場合（Ｓ１５０：Ｎｏ）、ステップＳ１６０を飛ばして、ステップＳ１７０に進む。
【００６４】
周辺情報表示部１２０は、周辺情報の表示を終了するか否かを判断する（Ｓ１７０）。例えば、周辺情報表示部１２０は、操作パネル１０４の操作ボタンを介して、運転者から周辺情報の表示を終了すべき旨の情報を受け付けた場合に、周辺情報の表示を終了すると判断する。ステップＳ１７０において周辺情報表示部１２０は、周辺情報の表示を終了すると判断した場合（Ｓ１７０：Ｙｅｓ）、本フローチャートは終了する。一方、ステップＳ１７０において周辺情報表示部１２０は、周辺情報の表示を終了しないと判断した場合（Ｓ１７０：Ｙｅｓ）、ステップＳ１２０に戻る。
【００６５】
なお、図１０に示す表示において、周辺情報表示部１２０は、操作パネル１０４の操作ボタンを介して、アイコン画像「飲食店Ｃ＿通常．ｊｐｇ」に対する入力を受け付けた場合に、当該同乗者に関する同乗者ＩＤ「Ｐ０１２」に対応付けて、アイコン画像「飲食店Ｃ＿通常．ｊｐｇ」に対応付けて周辺情報一時格納部１４２に格納されている周辺情報ＩＤ「Ｓ０１０４」および周辺情報種別「１３」を、属性格納部１５０に履歴属性情報１５４として格納する。この場合に、周辺情報表示部１２０は、当該入力を受け付けた日時を、選択日時として格納する。
【００６６】
また、ステップＳ１１０において、ここで周辺情報表示部１２０は、現在日時から１月前以降の選択日時に対応付けられた、周辺情報ＩＤおよび周辺情報種別を抽出したが、この期間は１月よりも短くてもよいし、長くてもよい。
【００６７】
また、本フローチャートにおいて、周辺情報表示部１２０は、同乗者の情報に基づいて、周辺情報の画像アイコンを地図に重ねて表示したが、運転者の情報および同乗者の情報の組み合わせに基づいて、周辺情報の画像アイコンを地図に重ねて表示してもよい。
【００６８】
図１１は、周辺情報表示システム４０の動作の他の一例を示すフローチャートである。図１１に示す周辺情報表示システム４０は、目的地への移動の途中において、休憩等で立ち寄る可能性が高い領域の周辺情報を表示する。この場合に、カーナビゲーション装置１００の本体１０２が、速度算出部および予定エリア算出部を備える。なお、本フローチャートの開始条件および前提条件は、図７に示すフローチャートのそれらと同一であるものとする。また、また、本フローチャートの左側は周辺情報表示装置１０の動作を、右側はサーバ２０の動作をそれぞれ示す。
【００６９】
ステップＳ３００からステップＳ３２０は、図７に示すステップＳ１００からステップＳ１２０と同様なので説明を省略する。ステップＳ３２５において、予定エリア算出部は、速度算出部により算出された平均速度および現在位置取得部１３２により取得された現在の位置に基づいて、所定の時間の経過後に自動車両が位置する予定の予定エリアを算出する（Ｓ３２５）。具体的には、予定エリア算出部は、平均速度「３０ｋｍ／ｈ」に所定の定数「０．７５」を乗じて下限速度「２２．５ｋｍ／ｈ」を、平均速度「３０ｋｍ／ｈ」に所定の定数「１．２５」を乗じて上限速度「３７．５ｋｍ／ｈ」を算出する。そして、予定エリア算出部は、所定の時間「６０分」に上限速度「３７．５ｋｍ／ｈ」で到達可能な最大到達エリア「現在位置である座標（Ｘ１０，Ｙ１０）から半径３７．５ｋｍの領域」から、上記所定の時間「６０分」に下限速度「２２．５ｋｍ／ｈ」で到達可能な最小到達エリア「現在位置である座標（Ｘ１０，Ｙ１０）から半径２２．５ｋｍの領域」を除いたエリアを予定エリアとして算出する（同ステップ）。予定エリア算出部は、算出した予定エリアを特定する情報を地図表示部１１０および周辺情報表示部１２０に受け渡す。
【００７０】
ステップＳ３３０は、図７に示すステップＳ１３０と同様なので説明を省略する。ステップＳ３４０において周辺情報表示部１２０は、入力されている目的地、ステップＳ３１０において抽出した属性、および、ステップＳ３２５において取得した予定エリアを特定する情報に基づいて、周辺情報を要求する周辺情報要求データを生成する（Ｓ３４０）。周辺情報表示部１２０は、生成した周辺情報要求データをサーバ２０の周辺情報取得部２００に送信する（同ステップ）。
【００７１】
ステップＳ４００からステップＳ４２０は、図７に示すステップＳ２００からステップＳ２２０と同様なので説明を省略する。ステップＳ３５０およびステップＳ３６０は、図７に示すステップＳ１５０およびステップＳ１６０と同様なので説明を省略する。ステップＳ３７０において周辺情報表示部１２０は、アイコン画像の表示を終了するか否かを判断する（Ｓ３７０）。ステップＳ３７０において周辺情報表示部１２０は、周辺情報の表示を終了すると判断した場合（Ｓ３７０：Ｙｅｓ）、本フローチャートは終了する。
【００７２】
一方、ステップＳ３７０において周辺情報表示部１２０は、周辺情報の表示を終了しないと判断した場合（Ｓ３７０：Ｎｏ）、所定の時間「６０分」が経過したか否かを判断する（Ｓ３８０）。ステップＳ３８０において所定の時間「６０分」が経過したと判断した場合（Ｓ３８０：Ｙｅｓ）、ステップＳ３２０に戻る。一方、ステップＳ３８０において所定の時間「６０分」が経過していないと判断した場合（Ｓ３８０：Ｎｏ）、ステップＳ３７０に戻る。
【００７３】
なお、ステップＳ３２５における所定の時間と、ステップＳ３８０における所定の時間は同一であることが好ましい。また所定の時間は、例えば休息間隔として予め搭乗者により設定される。また、周辺情報表示部１２０は、表示した周辺情報のアイコン画像を、座標に対応付けて格納することが好ましい。例えば、同乗者等が操作パネル１０４の操作ボタンを押下した場合には、地図表示部１１０および周辺情報表示部１２０は、過去に表示した周辺情報を地図に対応付けて表示することが好ましい。これにより、所定時間後に休息を取る可能性が高いエリアの周辺情報のみを表示することができる。図１１の動作は、休憩等により、予め設定された時間よりも長く停車した後に出発する場合に開始してもよい。この場合に、当該出発時における現在位置から目的地に要する予想の時間よりも、上記所定の時間が長いことを条件に、図１１の動作を開始してもよい。
【００７４】
なお、図１において、助手席に配された同乗者検知部１７０を記載したが、同乗者検知部１７０は後部座席に配されてもよい。この場合、ディスプレイ１０６は、当該後部座席前に配することが好ましい。また、周辺情報表示装置１０は、助手席および後部座席にディスプレイおよび同乗者検知部を備え、複数の同乗者の情報に基づいて、周辺情報の画像アイコンを地図に重ねて表示してもよい。
【００７５】
また、図１において、１つのサーバ２０および１つの公衆無線ＬＡＮ基地局３０を記載したが、複数のサーバ２０および複数の公衆無線ＬＡＮ基地局３０が設置されることが好ましい。複数のサーバ２０のそれぞれは、光ファイバーなどのネットワークにより相互に接続する。また、設置されるサーバ２０のうち一部のサーバ２０が、周辺情報格納部２１０を備えてもよい。周辺情報格納部２１０を備えないサーバ２０は、他のサーバ２０が備える周辺情報格納部２１０にネットワークを介してアクセスしてもよい。
【００７６】
また、図１から図１０に示す実施形態において、属性格納部１５０が、同乗者識別情報に対応付けて、過去に同乗者が同乗していたときに選択された周辺情報に対応付けられた属性を格納しており、当該属性をサーバ２０に送信する。これに代えて、属性格納部１５０が、同乗者識別情報に対応付けて、過去に同乗者が同乗していたときに選択された周辺情報ＩＤを格納しており、当該周辺情報ＩＤを周辺情報表示部１２０がサーバ２０に送信してもよい。この場合に、サーバ２０の周辺情報取得部２００は、周辺情報表示部１２０から送信された周辺情報ＩＤと同じ属性に対応付けて周辺情報格納部２１０に格納されている周辺情報を読み出し、周辺情報表示装置１０に送信する。
【００７７】
また、周辺情報表示装置１０とサーバ２０は、携帯電話を利用して互いに通信してもよい。すなわち周辺情報表示装置１０とサーバ２０は、公衆無線ＬＡＮ基地局３０を介して互いに通信することにかえて、携帯電話の基地局、基地制御局などを含む無線アクセスネットワーク、および、交換機などを含むコアネットワークを介して互いに通信してもよい。この場合、サーバ２０は、この無線アクセスネットワーク上またはコアネットワーク上に設置してもよい。
【００７８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００７９】
【図１】周辺情報表示システム４０を示す模式図である。
【図２】周辺情報表示装置１０のブロック図である。
【図３】ＩＤ格納部１６４に格納される情報の一例を示す。
【図４】属性格納部１５０に格納される情報の一例を示す。
【図５】サーバ２０のブロック図である。
【図６】周辺情報格納部２１０に格納される情報の一例を示す。
【図７】周辺情報表示システム４０の動作の一例を示すフローチャートである。
【図８】サーバ２０に送信される周辺情報要求データのペイロードの一例を示す。
【図９】周辺情報表示装置１０に送信される応答データのペイロードの一例を示す。
【図１０】ディスプレイ１０６への表示の一例を示す。
【図１１】周辺情報表示システム４０の動作の他の一例を示すフローチャートである。
【符号の説明】
【００８０】
１０  周辺情報表示装置
１４  ＧＰＳ衛星
２０  サーバ
３０  公衆無線ＬＡＮ基地局
４０  周辺情報表示システム
１００  カーナビゲーション装置
１０２  本体
１０４  操作パネル
１０６  ディスプレイ
１１０  地図表示部
１２０  周辺情報表示部
１３０  目的地受付部
１３２  現在位置取得部
１４０  地図格納部
１４２  周辺情報一時格納部
１５０  属性格納部
１５２  基本属性情報
１５４  履歴属性情報
１６０  同乗者識別部
１６２  ＩＤ取得部
１６４  ＩＤ格納部
１７０  同乗者検知部
１７２  近距離通信部
１７４  体重検知部
１７６  シートポジション検知部
１７８  音声検知部
１８０  運転者識別部
１９０  運転者検知部
２００  周辺情報取得部
２１０  周辺情報格納部
【図１】
2008032569.tif 000003
【図２】
2008032569.tif 000004
【図３】
2008032569.tif 000005
【図４】
2008032569.tif 000006
【図５】
2008032569.tif 000007
【図６】
2008032569.tif 000008
【図７】
2008032569.tif 000009
【図８】
2008032569.tif 000010
【図９】
2008032569.tif 000011
【図１０】
2008032569.tif 000012
【図１１】
2008032569.tif 000013